(57)【要約】【課題】座をフレームとサポートシートとが構成した椅子において、サポートシートに縦長の筋が現れて美感か悪化することを防止する。【手段】座２は、サイドメンバー７とサポートシート６とを有する。サポートシート６の左右側部には筒部６ａが形成れており、この筒部６ａにサイドメンバー７が通っている。サイドメンバー７は脚装置の上支持部１１ａに固定されている。脚装置には、サイドメンバー７に密接した状態で前後方向に延びる補助支持体１４が取り付けられており、補助支持体１４でサポートシート６を下方から支持している。サポートシート６が単にサイドメンバー７に嵌まっているだけであると、基部６′と上分岐部６ａ′との連接部が筋として現れるが、補助支持体１４によって上分岐部６ａ′の傾斜角度が小さくなるため、筋は現れない。【選択図】図７
2010154880.tif 000002
【特許請求の範囲】
【請求項１】
座又は背もたれが、左右のサイドメンバーに可撓性のサポートシートをピンと張った状態に取り付けた構造になっており、人の体圧はサポートシートで受けられるようになっている、という椅子であって、
前記サイドメンバーの内側面に沿った部位に、前記サポートシートを体圧の作用面と反対側から支持してサポートシートの傾きを滑らかにする補助支持体が配置されている、
椅子。
【請求項２】
座が、左右のサイドメンバーに可撓性のサポートシートをピンと張った状態に取り付けた構造になっており、人の体圧はサポートシートで受けられるようになっており、かつ、前記サポートシートは上向き凹状に凹んでいる、
という椅子であって、
前記サイドメンバーの内側面に沿った部位に、前記サポートシートを下方から支持してサポートシート内向き傾斜を滑らかにする補助支持体が、側面視でサイドメンバーに対して相対的に緩く後傾した姿勢で配置されている、
椅子。
【発明の詳細な説明】
【技術分野】
【０００１】
本願発明は、着座者の体圧を可撓性のサポートシートで受ける構造の椅子に関するものである。
【背景技術】
【０００２】
椅子において、座や背もたれをフレーム材にメッシュ状等のサポートシートが張られた構成として、サポートシートで着座者の体圧を受ける構造にしたタイプのものが存在している。このタイプの椅子は、通気性とクッション性とに優れると共にシンプルな外観を呈する等の利点がある。
【０００３】
このタイプの椅子における技術課題の一つはサポートシートを取り付け手段であり、この点について様々の工夫が成されている。例えば、ａ：サポートシートの縁をフレーム材に押さえ部材で押さえ固定する、ｂ：フレーム材を樹脂製として、インサート成形によってサポートシートの縁部をフレーム材に埋設する、
ｃ：サポートシートの周囲に線材を固定し、この線材をフレーム材の外周に形成した溝に嵌め込む、といった手段が提案され或いは実際に採用されている。
【０００４】
しかし、上記したａ，ｂの取り付け手段は取り付け強度面での不安を払拭できず、ｃはフレーム材の外周に溝が露出するという問題がある。他方、特許文献１には、サポートシートの外周に筒部を形成して、この筒部にフレーム材を嵌め込むことが記載されており、この手段を採用すると強度面においての不安を払拭できると共に、フレーム材はサポートシートで完全に隠れるため優れた美感を実現することができる。
【特許文献１】特開２００６−１３６５６２号公報
【発明の開示】
【発明が解決しようとする課題】
【０００５】
さて、例えば座を構成するサポートシートに筒部を形成すると、サポートシートのうち筒部を形成した箇所の断面は略Ｙ字状になっている。すなわち、正面方向からの断面を見ると、１枚の基部から筒部の付け根部が上下に分岐した向きＹ形になっている。そして、サポートシートには、自身の弾性力によるテンションが作用しているため、サポートシートの縁部の上面がどのようになっているかを見ると、フレーム材の上面からいったん内向きに大きく傾斜し、それから傾斜角度を緩くして座の内側に向かうという状態になっている。
【０００６】
更に述べると、サポートシートに筒部を形成すると、人の体圧が掛かる基部の端から筒部を構成する上分岐部と下分岐部とが上下に分岐し、このため基部と上分岐部との交叉部が筋となって現れ、また、上分岐部はフレーム材の上面に重なった状態から傾斜して基部に向かうため、上分岐部にも、フレーム材の上面から姿勢を変える箇所に角張ったような稜線が現れ、この稜線が筋として見えることがある。そして、これら筒部を形成したことに起因した筋が現れることで人に違和感を与えて、外観が悪くなる虞があった。
【０００７】
本願発明は、このような現状を改善することを目的としている。
【課題を解決するための手段】
【０００８】
請求項１の発明に係る椅子は、  座又は背もたれが、左右のサイドメンバーに可撓性のサポートシートをピンと張った状態に取り付けた構造になっており、人の体圧はサポートシートで受けられるようになっている、という構成において、前記サイドメンバーの内側面に沿った部位に、前記サポートシートを体圧の作用面と反対側から支持してサポートシートの傾きを滑らかにする補助支持体が配置されている。
【０００９】
請求項２の発明に係る椅子は、座が、左右のサイドメンバーに可撓性のサポートシートをピンと張った状態に取り付けた構造になっており、人の体圧はサポートシートで受けられるようになっており、かつ、前記サポートシートは上向き凹状に凹んでいる、という構成において、前記サイドメンバーの内側面に沿った部位に、前記サポートシートを下方から支持してサポートシート内向き傾斜を滑らかにする補助支持体が、側面視でサイドメンバーに対して相対的に緩く後傾した姿勢で配置されている。
【発明の効果】
【００１０】
サポートシートに筒部を形成したことに起因した筋は、サポートシートの表面がフレーム材から座又は背もたれの内側に延びるにおいて角度が急に変わることで現れるが、本願発明では、補助支持体の存在により、サポートシートの表面部はサイドメンバーの表面部から緩やかに傾斜した状態で座又は背もたれの内側に延びるため、サポートシートの表面に筋が現れることを防止して優れた美感を確保できる。
【００１１】
さて、椅子の座面は人の身体にフィットするように上向き凹状に緩く湾曲させることが多く、その場合、座の後部が大きく凹むように設定しておくと、身体（臀部）へのフィット性が一層高くなる。そして、座を構成するサポートシートが後部に行くほど深くなっていると、サポートシートの上面がサイドメンバーから内側に延びるに際しての傾斜角度も後部に行くほど大きくなり、すると、補助支持体の上面がサイドメンバーの上面と平行であると、サポートシートの上面は補助支持体から大きく傾斜して内向きに延びる虞があり、すると、補助支持体の箇所に筋が現れる虞がある。
【００１２】
これに対して本願の請求項２の構成を採用すると、補助支持体の上面はサイドメンバーの上面に対して緩く後傾しているため（すなわち、補助支持体によるサポートシートの支持高さが後ろに行くほど徐々に低くなっているため）、シートの上面が補助支持体の箇所で大きく傾斜角度を変えるといったことはなく、サポートシートをその全長にわたって滑らかに内向き傾斜させることができる。従って、サポートシートが後部に行くほど深く凹んでいてフィット性に優れた座でありながら、優れた外観を確保することができる。
【発明を実施するための最良の形態】
【００１３】
次に、本願発明の実施形態を図面に基づいて説明する。本実施形態は会議用や商談用に多用されている４本足方式のいわゆるパイプ椅子に適用している。
【００１４】
(1).椅子の概要
図１のうち（Ａ）は完成状態での椅子の斜視図、（Ｂ）は部分的な側面図、（Ｃ）は骨組みだけを表示した斜視図、図２のうち（Ａ）は分離斜視図、（Ｂ）は背もたれ部の骨組みだけの斜視図、（Ｃ）は（Ｂ）のＣ−Ｃ視断面図である。
【００１５】
これらの図から理解できるように、椅子は、座２と背もたれ３とが一体に連続して成る上部分１と、上部分１を支持する脚装置４とで構成されており、両者はビスで固定されている。
【００１６】
上部分１は、骨組み（強度メンバー）としてのフレーム構造体５と、人の身体を受けるサポートシート６とで構成されている。フレーム構造体５は、座２の側部と背もたれ３の側部とを構成すべく側面視で略Ｌ字状に形成された左右のサイドメンバー７と、左右サイドメンバー７の上端に一体に固着（溶接）された左右長手のアッパーメンバー８と、左右サイドメンバー７の前端に後付けで取り付けられた左右長手のフロントメンバー９と、左右サイドメンバー７の曲がり部７ａの間に配置した左右長手の中間フレーム１０とで構成されている。中間フレーム１０はサイドメンバー７とは別部材として構成されている。
【００１７】
サポートシート６はフレーム構造体５に取り付ける前の状態の展開状態で長方形の形態を成しており、４つのコーナー部を有している。サポートシート６は編地から成っており、外周部には、フレーム構造体５が通るようにサイド筒部６ａとアッパー筒部６ｂとフロント筒部６ｃとが形成されている。また、サポートシート６には中間フレーム１０が挿通される中間筒部６ｄを形成している。言うまでもないが、外周の筒部６ａ，６ｂ，６ｃは全体が連通しており、また、中間筒部６ｃは左右サイド筒部６ａに連通している。
【００１８】
脚装置４は、左右のサイド部材１１とこれらを繋ぐフロント連結杆１２、及びリア連結杆１３を主要メンバーとしている。左右のサイド部材１１は鋼管等の金属パイプから成っており、前後長手の上支持部１１ａとその前後両端から下方に延びる足とを有する側面視下向き開口コの字状に形成されている。上支持部１１は側面視でやや後傾している。
【００１９】
フロント連結杆１２は丸棒を使用しており（パイプでもよい）、左右サイド部材１０における足の上端寄り部位に溶接にて固着されている。フロント連結杆１２は直線状に延びている。リア連結杆１３は左右サイド部材１１の後ろのコーナー部の箇所に溶接で固着されており、側面視で斜め下方に凸となるように弓なりに反っている。左右サイド部材１１の内側面に沿って前後の補助支持体１４が配置されている。補助支持体１４はサイド部材１１よりも小径の丸棒製であり、フロント連結杆１２とリア連結杆１３とに溶接で固着されている（詳細は後述する。）。
【００２０】
(2).構造の詳細
次に、従前の図に加えて図３以降の図面も参照して構造の詳細を説明する。図３のうち（Ａ）は上部分１の分離斜視図、（Ｂ）はサポートシート６の部分背面図、図４は上部分１の組み立て手順を示す図、図５のうち（Ａ）は一部破断平面図、（Ｂ）は（Ａ）のＢ−Ｂ視断面図、図６のうち（Ａ）は図５（Ａ）のVIA-VIA 視断面図、（Ｂ）は図５（Ａ）のVIB-VIB 視断面図、図７のうち（Ａ）は図５（Ａ）の VIIA-VIIA断面図、（Ｂ）は比較例を示す図である。
【００２１】
上部分１を構成するサイドメンバー７は小判形の金属パイプを素材にして製造されており、座２の部分では全長にわたって断面は横長の状態であるが、背もたれ３の部分では上下の途中から平断面が前後長手になるようにねじっている。そして、サイドメンバー７の内部には、座２の全長と背もたれ３の上下中途高さ部位まで図２（Ｂ）に示す補強板１６が嵌め込まれている。サイドメンバー７の加工は、直線に延びる材料に補強板１６を挿入してから曲げるという手順で行われる。
【００２２】
サイドメンバー７の前端は下向きに延びるカール部７ｂになっている。フロント連結杆１２の左右両端には上向きピン１７を突設しており、この上向きピン１７は、補強板１６に形成した穴（図示せず）に嵌入している。フロント連結杆１２はサポートシート６のテンションで上向きに引っ張られているので、ビス止めせずとも、上向きピン１７を補強板１６の穴に嵌め込むだけでフロント連結杆１２は脱落不能に保持されている。サイドメンバー７は脚装置４のサイド部材１１に上方から重なっており、カール部７ｂはサイド支持部１１における前部の湾曲したコーナー部に重なっている。
【００２３】
中間フレーム１０は丸棒製であり、その両端には穴が空いている。そして、両端部が、サイドメンバー７の曲がり部７ａに内向き突設した突起１８に嵌め込まれている。また、中間フレーム１０は脚装置４のリア連結杆１３に斜め上方から重なっており、従って、正面視と平面視とで弓なりに反った形態になっている。換言すると中間フレーム１０が斜め後ろに凸となるように反っているのであり、このため、サポートシート６のうち座構成部と背もたれ構成部との連接部の箇所は、左右中間部に行くほど斜め後ろに突出するように押されており、これが一つの理由となって、サポートシート６のうち座２は上向き凹状に湾曲して背もたれ３は平面視で前向き凹状に湾曲している。
【００２４】
サポートシート６の前端部は、左右両端をサイドメンバー７で規制されつつ前端はフロントメンバー９で下向きに引っ張られており、このため、サポートシート６のうちの座２構成部はその前部においても下向き凹の状態になっている。そして、既述のとおり、サポートシート６のうち座構成部はその後部では中間フレーム１０によって上向き凹状になっており、これらフロントメンバー９と中間フレーム１０との作用により、サポートシート６のうち座２構成部はその全長にわたって上向き凹の形態を成している。
【００２５】
他方、フレーム構造体５を構成するアッパーメンバー８は平面視で前向き凹状に湾曲している。このため、サポートシート６のうちの背もたれ構成部は、その上部においてアッパーメンバー８によって前向き凹状に保持されており、他方、その下部では中間フレーム１０によって前向き凹状に保持されている。これらアッパーメンバー８と中間フレーム１０との規制作用により、サポートシート６のうちの背もたれ構成部は、上下全長にわたって前向き凹状の形態が保持されている。
【００２６】
例えば図３に示すように、サポートシート６のうちサイド豆酘部６ａとフロント筒部６ｂとが繋がっている部分には、フレーム構造体５を挿通するための主開口穴１９が空いている。サポートシート６の前端部（或いは下端部）は、フロント筒部６ｂを超えて延びる余長部６ｅになっている。これは、サポートシート６を編み機で編成するにおいて、フロント筒部６ｂを形成するために生じたものである。余長部６ｅは上向きに引き上げられて、補助バー２３を巻いて後ろに向かわせている。サポートシート６のうち中間筒部６ｄとサイド筒部６ａとが繋がる部分の裏面部には、中間フレーム１０を通すための中間開口穴２０が空いている。
【００２７】
(3).組み立て手順
椅子の組み立ては、まず上部分１と脚装置４とを別々に製造・組み立てから、上部分１を脚装置４に重ねてビスで固定する、という手順で行われる。そして、上部分１の組み立てに当たっては、先ず、図３（Ａ）に矢印で示すように、左右サイドメンバー７とアッパーメンバー８とからなるメインフレームをサポートシート６の主筒部６ａ及びアッパー筒部６ｂに挿通する。この挿通作業は、サポートシート６の一つの主開口穴１０に一方のサイドメンバー７の一端を先にして挿通し、サポートシート６及びメインフレームの弾性に抗してどんどん差し込んでいく、という手順で行われる。
【００２８】
コの字状のメインフレームをサポートシート６に差し込むことにより、図４（Ａ）のような中間体が構成される。この段階では、左右サイドメンバー７の前端は自由端になっているため、サポートシート６の弾性力により、メインフレームはサイドメンバー７の先端が互いに接近するように弾性変形している。そして、主開口穴１９にフロントメンバー９を差し込んで、サイドメンバー７の前端を所定間隔に広げ、その状態でフロントメンバー９の上向きピン１７をサイドメンバー７に下方から嵌め込む。
【００２９】
次いで、図４（Ｂ）に示すように、サポートシート６の一つの中間開口穴２０から中間フレーム１０を差し込んで、中間フレーム１０をサポートシート６の中間筒部６ｄに挿通し、中間フレーム１０の両端をサイドメンバー７の突起１８に嵌め込む。突起１８への中間フレーム１０の嵌め込みは、左右サイドメンバー７を曲がり部７ａの箇所の間隔が広がるように弾性変形させた状態で行う。
【００３０】
また、中間フレーム１０は弓なりに反っている（曲がっている）が、図７（Ｂ）の一点差線で示すように、先ず、側面視で斜め前に延びる姿勢で突起１８に嵌め込み、それから矢印で示すように突起１８を支点にして回動させて所定姿勢にする。図６（Ｂ）の一点差線の姿勢ではサポートシート６には大きなテンションは掛かっていないため中間フレーム１０を突起１８に嵌め込む作業を楽に行え、かつ、中間フレーム１０を所定姿勢に回動させるとサポートシート６は斜め後ろに押されることで強いテンションが掛かる。
【００３１】
図６（Ｂ）に示すように、中間フレーム１０はリアビス２１で脚装置４のリア連結杆１３に締結されている。また、図７（Ａ）に示すように、上部分１のサイドメンバー７は脚装置４におけるサイド部材１１の上支持部１１ａにサイドビス２２で締結されている。ビス２１，２２はサポートシート６を貫通している。
【００３２】
(4).補助支持体の機能
サポートシート６に例えばサイド筒部６ａを形成すると、図７（Ｂ）に示すように、正断面視では、筒部６ａを構成する上分岐部６ａ′と下分岐部６ａ″とが１枚板の基部６′から分岐して、基部６′と上下分岐部６ａ′，６ａ″とで横向きＹ字の形態になっている（当然ながら、上下分岐部は６ａ′，６ａ″はサイドメンバー７の外周において繋がってい。）。
【００３３】
そして、サポートシート６自体のテンションは、筒部６ａのうちサイドメンバー７の上分岐部６ａ′と下分岐部６ａ″とに均等に作用するため、図７（Ｂ）に示すように、基部６′と上下分岐部６ａ′，６ａ″との交点部６″は概ねサイドメンバー７の上下中間の高さ位置に位置しており、このため、基部６′と上分岐部６ａとは屈曲した状態で繋がっており、その結果、基部６′と上分岐部６ａとの連接部（内角部）が前後方向に延びる筋となって現れる。このため体裁が悪くなる虞がある。
【００３４】
また、上分岐部６ａ′が傾斜すると、筒部６ａの上分岐部６ａ′は、サイドメンバー７の上面に重なっている水平部から大きく角度を変えて斜め内向きに向かうことになり、その結果、水平部と上分岐部６ａ′との連接部も少し角張って、これが筋として現れることがある。これらの筋は、サイドメンバー７の内面に沿って延びる補助支持体１４で解消される。この点を更に説明する。
【００３５】
図５（Ｂ）に示すように、補助支持体１４はフロント連結杆１２から立ち上がってカールしてからリア連結杆１３に向けて延びているが、補助支持体１４は、前半部程度がサイド部材１１の上支持部１１ａの上になって、略後ろ半部はサイドメンバー７の下面及び上部材１１ａの上面よりも下になる状態で後傾している。従って、補助支持体１４の前半部は、前端に行くほど上支持部１１ａからの突出高さは高くなっている。また、図７（Ａ）に示すように、補助支持体１４のうち最も高い部分は、サイドメンバー７の上下中間高さよりは高くてサイドメンバー７の上面よりは低い高さになっている。
【００３６】
そして、図７（Ａ）に示すように、補助支持体１４は、サポートシート６の交点部６″を強制的に上に移動させるように配置している。交点部６″の高さ位置は正面視でのサポートシート６の凹み具合によって相違しており、座２の前部においては傾斜角度は小さい。そこで、図７（Ａ）に示すように、交点部６″をサイドメンバー７の上下中間点よりもやや高い位置に配置している。その結果、サポートシート６の交点部６″が補助支持体１４で押し上げられたのと同じ状態になって、サポートシート６は正面方向から見て屈曲することなくサイドメンバー７から中央部に向けて滑らかに傾斜しており、従って、サイドメンバー７に沿って筋が現れることはない。
【００３７】
サポートシート６の後端は中間フレーム１０で下向きに押されているため、サポートシート６は、後ろに行くほどサイドメンバー７及び上支持部１１ａから傾斜する角度が大きくなっている。そこで、補助支持体１４はサイド部材１１の上支持部１１ａ及びサイドメンバー７の後傾角度より大きい角度で後傾させているのであり、このため、サポートシート６の左右側部は前後全長にわたって滑らかに傾斜した状態が保持されている。
【００３８】
つまり、サポートシート６は凹みの深さが後ろに行くほど深くなるため、交点部６″の高さを後ろに行くほど低くなっており、このため、仮に側面視で補助支持体１４とサイドメンバー７とが平行に延びていると、サポートシート６は後部に行くに従って補助支持体１４で上向きに大きく突き上げられたのと同じ状態になり、このため、補助支持体１４の当接箇所に筋が現れる虞があるが、本実施形態では、サポートシート６の凹み方に合わせて補助支持体１４を傾斜させているため、サイドメンバー７の左右両側部をその全長にわたって滑らかに傾斜させることができるのである。
【００３９】
(5).サポートシートの変形例
図８ではサポートシート６の変形例を示している。この変形例では、サポートシート６のうち背もたれ３を構成する部分は全体が表面部と裏面部とを有する袋状の筒部になっている。従って、サポートシート６は厚みを持ったような外観を呈していてサイドメンバー７の存在が視認し難いため、美感に優れている。また、フレーム構造体５の差し込みも容易である。
【００４０】
(6).その他
本願発明は、上記の実施形態の他にも様々に具体化できる。例えば、座を構成するサポートシートと背もたれとを構成するサポートシートとが分離した方式の椅子にも適用できる。また、本願発明は背もたれにも適用できる。補助支持体を樹脂製品としたり板金製品としたりするなど、補助支持体の素材や断面形状は必要に応じて選択できる。左右の補助支持体を一体に連結することも可能である。また、補助支持体をサイドメンバーに固定しておくことも可能である。
【図面の簡単な説明】
【００４１】
【図１】（Ａ）は完成状態での椅子の斜視図、（Ｂ）は部分的な側面図、（Ｃ）は骨組みだけを表示した斜視図である。
【図２】（Ａ）は分離斜視図、（Ｂ）は上部分の骨組みだけの斜視図、（Ｃ）は（Ｂ）のＣ−Ｃ視断面図である。
【図３】（Ａ）は上部分の分離斜視図、（Ｂ）はサポートシートの部分背面図である。
【図４】上部分の組み立て手順を示す図である。
【図５】（Ａ）は一部破断平面図、（Ｂ）は（Ａ）のＢ−Ｂ視断面図である。
【図６】（Ａ）は図５（Ａ）のVIA-VIA 視断面図、（Ｂ）は図５（Ａ）のVIB-VIB 視断面図である。
【図７】（Ａ）は図５（Ａ）の VIIA-VIIA断面図、（Ｂ）は比較例を示す図である。
【図８】変形例を示す図である。
【符号の説明】
【００４２】
１  座と背もたれとが一体化した上部分
２  座
３  背もたれ
４  脚装置
５  フレーム構造体
６  サポートシート
６ａ６ｂ，６ｃ，６ｄ  筒部
７  サイドメンバー
８  アッパーメンバー
９  フロントメンバー
１０  中間メンバー
１１  脚装置のサイド部材
１２  脚装置のフロント連結杆
１４  補助支持体
【図１】
2010154880.tif 000003
【図２】
2010154880.tif 000004
【図３】
2010154880.tif 000005
【図４】
2010154880.tif 000006
【図５】
2010154880.tif 000007
【図６】
2010154880.tif 000008
【図７】
2010154880.tif 000009
【図８】
2010154880.tif 000010